(57)【要約】【課題】容易に組み立てることができる固液分離装置を提供する。【解決手段】固液分離装置は、設置面Ｌに立設される折畳み可能な支持脚１と、支持脚１に取り付けられる供給箱２とを有する。固液分離装置１は、支持脚１に取り付けられる分離ユニット３を備える。この分離ユニット３は、フィルタ３０とフィルタ３０を支持するトレイ３１とを有し、供給箱２からの固液混合物をフィルタ３０上で滑り落として固体と液体とに分離して、固体をトレイ３１の固体排出部３４から排出するとともに、液体をトレイ３１の液体排出部３５から排出する。固液分離装置は、支持脚１に取り付けられ、トレイ３１の液体排出部３５からの液体を受け、外部へ排出するための排出箱４と、を備える。【選択図】図３
2018138284.tif 000002
【特許請求の範囲】
【請求項１】
設置面に立設される支持脚と、
前記支持脚に取り付けられる供給箱と、
フィルタと前記フィルタを支持するトレイとを有し、前記支持脚に取り付けられ、前記供給箱からの固液混合物を前記フィルタ上で滑り落として固体と液体とに分離して、前記固体を前記トレイの固体排出部から排出するとともに、前記液体を前記トレイの液体排出部から排出するための分離ユニットと、
前記支持脚に取り付けられ、前記トレイの前記液体排出部からの前記液体を受け、外部へ排出するための排出箱と、を備える、
ことを特徴とする固液分離装置。
【請求項２】
前記支持脚は、折畳み可能に構成されている、
ことを特徴とする請求項１に記載の固液分離装置。
【請求項３】
前記支持脚は、前記供給箱、前記分離ユニット、および、前記排出箱が取り付けられた状態で、折り畳むことができる、
ことを特徴とする請求項２に記載の固液分離装置。
【請求項４】
前記支持脚は、一対の脚体を備え、
前記供給箱は、一方の脚体の上部に取り付けられ、
前記排出箱は、他方の脚体の下部に取り付けられ、
前記分離ユニットは、前記供給箱と前記排出箱との間で前記他方の脚体に取り付けられる、
ことを特徴とする請求項１から請求項３のいずれか１項に記載の固液分離装置。
【請求項５】
前記供給箱は、円管形状を有しており、Ｕ字ボルトによって前記支持脚に取り付けられる、
ことを特徴とする請求項１から請求項４のいずれか１項に記載の固液分離装置。
【請求項６】
前記排出箱は、円管形状を有しており、Ｕ字ボルトによって前記支持脚に取り付けられる、
ことを特徴とする請求項１から請求項４のいずれか１項に記載の固液分離装置。
【請求項７】
前記供給箱から溢れ出る前記固液混合物を前記分離ユニットの前記フィルタへ案内するためのガイドをさらに備える、
ことを特徴とする請求項１から請求項６のいずれか１項に記載の固液分離装置。
【発明の詳細な説明】
【技術分野】
【０００１】
本発明は、固液混合物を固体と液体とに分離する固液分離装置に関する。
【背景技術】
【０００２】
特許文献１−３等に開示の通り、固液分離装置は、設置面に設置されたハウジング（筐体）と、水平に対して傾斜するようにハウジングに取り付けられたフィルタとを備え、固液混合物をフィルタ上に供給し、フィルタに沿って流下させて固体と液体とに分離する。
【０００３】
しかしながら、この特許文献１−３の固液分離装置は、大型のハウジングを必要とする等の理由により、決して組立ては容易ではなく、組立てに時間がかかるものであった。さらに、大型のハウジングを必要とするため、固液分離装置の輸送は大掛かりであり、かつ、輸送コストがかかるという問題もあった。
【先行技術文献】
【特許文献】
【０００４】
【特許文献１】特開２０１６−１９８７１５号公報
【特許文献２】特開２０１３−１２６６４１号公報
【特許文献３】特開昭５５−８８８８６号公報
【発明の概要】
【発明が解決しようとする課題】
【０００５】
本発明は、容易に組み立てることができる固液分離装置を提供する。
【課題を解決するための手段】
【０００６】
上記課題を解決するために、本発明に係る固液分離装置は、
設置面に立設される支持脚と、
前記支持脚に取り付けられる供給箱と、
フィルタと前記フィルタを支持するトレイとを有し、前記支持脚に取り付けられ、前記供給箱からの固液混合物を前記フィルタ上で滑り落として固体と液体とに分離して、前記固体を前記トレイの固体排出部から排出するとともに、前記液体を前記トレイの液体排出部から排出するための分離ユニットと、
前記支持脚に取り付けられ、前記トレイの前記液体排出部からの前記液体を受け、外部へ排出するための排出箱と、を備える、
ことを特徴とする。
【０００７】
好ましくは、前記支持脚は、折畳み可能に構成されている。さらに好ましくは、前記支持脚は、前記供給箱、前記分離ユニット、および、前記排出箱が取り付けられた状態で、折り畳むことができる。
【０００８】
好ましくは、
前記支持脚は、一対の脚体を備え、
前記供給箱は、一方の脚体の上部に取り付けられ、
前記排出箱は、他方の脚体の下部に取り付けられ、
前記分離ユニットは、前記供給箱と前記排出箱との間で前記他方の脚体に取り付けられる。
【０００９】
好ましくは、前記供給箱は、円管形状を有しており、Ｕ字ボルトによって前記支持脚に取り付けられる。
【００１０】
好ましくは、前記排出箱は、円管形状を有しており、Ｕ字ボルトによって前記支持脚に取り付けられる。
【００１１】
好ましくは、前記供給箱から溢れ出る前記固液混合物を前記分離ユニットの前記フィルタへ案内するためのガイドをさらに備える。
【発明の効果】
【００１２】
本発明によれば、容易に組立てることができる固液分離装置を提供することができる。
【図面の簡単な説明】
【００１３】
【図１】本発明の一実施例に係る固液分離装置の正面図である。
【図２】図１の固液分離装置の背面図である。
【図３】図１の固液分離装置の左側面図である。
【図４】図１の固液分離装置の右側面図である。
【図５】図１の固液分離装置の平面図である。
【図６】図１の固液分離装置の底面図である。
【図７】図１の固液分離装置のＴ−Ｔ線における供給箱、分離ユニット、および排出箱の拡大端面図であり、支持脚は省略されている。
【図８】図１の固液分離装置が折り畳まれた状態を示す左側面図である。
【発明を実施するための形態】
【００１４】
以下、各図面を参照して本発明の一実施例に係る固液分離装置が説明される。
【００１５】
固液分離装置は、支持脚１、供給箱２、分離ユニット３、および、排出箱４を備える。
【００１６】
図１、図２等の通り、支持脚１は、設置面Ｌに立設される。なお、設置面Ｌは、床面である必要はなく、ある装置の平面などであってもよい。支持脚１は、一対の脚体１０、１１を備える。図１の通り、脚体１０は、２本設けられ、互いに第１水平方向Ｘ（左右方向）に間隔をあけて設けられる。図２の通り、他方の脚体１１は、２本設けられ、互いに第１水平方向Ｘに間隔をあけて設けられる。
【００１７】
図３、図４の通り、脚体１０と脚体１１とは、互いに第２水平方向Ｙ（前後方向）に間隔をあけて設置面Ｌに設置される。脚体１０と脚体１１とは、それらの上端部でピン１２によって互いに連結されており、このピン１２を中心に回動自在となっている。一対の脚体１０、１１は、このピン１２の周りに互いに近接および離間することができるように回動する。こうして、支持脚１は、折り畳み可能に構成されている。
【００１８】
図３、図４の通り、支持脚１は、２本の連結体１３を備えており、連結体１３はそれぞれ、一対の脚体１０、１１を、ピン１４、１５を介して互いに解除可能に連結する。これにより、一対の脚体１０、１１の開きが一定に保持され、支持脚１を安定して設置面Ｌに立設することができる。連結体１３と脚体１１との連結を解除して、連結体１３をピン１４の周りに上方に回動させて脚体１０に仮止めしてから、支持脚１を折り畳むことができる。
【００１９】
供給箱２は、円管形状を有している。供給箱２は、着脱可能に支持脚１に取り付けられる。具体的には、図２、図５の通り、供給箱２は、その両端部においてＵ字ボルト２０によって２つの脚体１１に取り付けられ、第１水平方向Ｘに水平にのびている。供給箱２の第１水平方向Ｘの両側は閉じられている。
【００２０】
図２、図６の通り、供給箱２は、短管状の導入部２１を有している。不図示の導入管がこの導入部２１に接続され、固体および液体を含む固液混合物が、原液として、ポンプによって導入管および導入部２１を通じて供給箱２内に導入される。なお、供給箱２は、固液分離装置が使用されないとき、その内部に溜まった固液混合物を排除するために開閉自在に構成された排出部２２を備える。
【００２１】
図７の通り、供給箱２は、その外周面にその長手方向にのびるように形成された上向きの供給口２３を有する。固液混合物（原液）は、導入部２１から供給箱２内に導入されて溜まっていくと、この供給口２３から溢れ出る。
【００２２】
固液分離装置は、供給箱２の供給口２３からの固液混合物を分離ユニット３へ案内するためのガイド２４を備えている。ガイド２４は、供給箱２に溶接等によって取り付けられている。ガイド２４は、供給口２３から、支持脚１に取り付けられた分離ユニット３の上端までのびている。これにより、固液混合物が供給口２３からガイド２４上を流れ落ちて分離ユニット３へ供給される。
【００２３】
固液分離装置は、供給箱２から溢れ出た固液混合物が分離ユニット３外へ逸れるのを規制するために、供給口２３に対向する規制板２５を備える。この規制板２５は、適切な手段によって供給箱２に取り付けられている。したがって、ガイド２４および規制板２５は供給箱２と一体化されている。
【００２４】
図１−図５の通り、分離ユニット３は、分離用のフィルタ３０と、フィルタ３０を支持するトレイ３１とを備える。図７の通り、フィルタ３０は、実施例では、断面が楔状で水平にのびる複数のウェッジワイヤー３２を備え、ウェッジワイヤー３２が所定の間隔をあけて並べて配置されることで構成されるウェッジワイヤースクリーンである。フィルタ３０は、その一次側面が上向きにその二次側面が下向きになるようにトレイ３１に着脱自在に取り付けられる。
【００２５】
図１−図５の通り、この分離ユニット３は、支持脚１に着脱自在に取り付けられている。具体的には、トレイ３１の幅方向の両側の２箇所に取付部３３が設けられており、不図示のボルトなどの適切な手段によって２本の脚体１０に取り付けられる。分離ユニット３が支持脚１に取り付けられたとき、フィルタ３０は水平に対して所定の角度θで傾斜する（図３、図４参照）。
【００２６】
トレイ３１の下端には、フィルタ３０の一次側面側において、固体排出部３４が形成されている。そして、トレイ３１の下端には、フィルタ３０の二次側面側において、液体排出部３５が形成されている。
【００２７】
図７の通り、供給箱２のガイド２４は、供給口２３からフィルタ３０の一次側面の上端にまでのびている。したがって、固液混合物（原液）は、供給口２３から溢れ出て、ガイド２４に案内されて、フィルタ３０の一次側面の上端まで流れる。それから、固液混合物は、傾斜したフィルタ３０に沿って滑り落ちる。この際に、固液混合物は、フィルタ３０によって固体と液体とに分離される。
【００２８】
具体的には、固液混合物中の液体は、フィルタ３０（ウェッジワイヤー３２の間）を通過する。そして、この液体は、ろ液として、フィルタ３０の２次側面から流れ落ち、トレイ３１に受けられ、液体排出部３５から排出される。
【００２９】
一方、固液混合物の固体の大きさに応じてウェッジワイヤー３２の間隔が設定されているので、固体は、フィルタ３０を通過できずフィルタ３０の一次側面を滑り落ち、固体排出部３４から排出される。それから、固体は、不図示の固体回収箱に回収される。
【００３０】
以上のように、分離ユニット３は、フィルタ３０によって、供給箱２からの固液混合物を固体と液体とに分離し、固体を固体排出部３４から排出するとともに、液体をろ液として液体排出部３５から排出する。
【００３１】
図１−図６の通り、排出箱４は、円管形状を有している。排出箱４は、その両端部においてＵ字ボルト４０によって２本の脚体１０に取り付けられる。排出箱４は、一端が閉じられて閉端として形成され、他端が開かれて排出口４１として構成されている。排出箱４は、排出口４１がその反対側の閉端よりも低くなるように、傾斜して支持脚１に取り付けられる。そして、この排出口４１には、図示されない排出管が接続される。
【００３２】
図７の通り、排出箱４は、その外周面にその長手方向にのびるように形成された上向きの受口４２を有する。前述の分離ユニット３のトレイ３１の液体排出部３５はこの受口４２に差し込まれている。
【００３３】
したがって、図７の通り、分離ユニット３の液体排出部３５からの液体（ろ液）は、受口４２を通じて排出箱４に受けられる。そして、液体は、排出箱４の傾斜に沿って排出口４１へ流れ、排出口４１および排出管を通じて、固液分離装置の外部の適切な場所へ排出される。
【００３４】
以上のようにして、固液分離装置は、固液混合物を固体と液体とに分離する。
【００３５】
本発明に係る固液分離装置は、折畳み可能な支持脚１に、供給箱２、分離ユニット３、および排出箱４を取り付ける構成を有しており、特許文献１−３のような大型のハウジング（筐体）を必要とせずに、固液混合物を固体と液体とに分離することができる。支持脚１を開いて設置面Ｌに立設し、これに供給箱２、分離ユニット３、および排出箱４を所定の位置に取り付けるだけで、固液分離装置の組立ては完了し、設置時間も短い。また、大型のハウジングを必要としないので、固液分離装置の輸送は容易であり、その輸送コストも抑えられる。
【００３６】
実施例では、供給箱２は、一方の脚体１１の上部に取り付けられ、排出箱４は、他方の脚体１０の下部に取り付けられ、分離ユニット３は、供給箱２と排出箱４との間で他方の脚体１０に取り付けられる。そして、図８の通り、支持脚１は、このように供給箱２、分離ユニット３および排出箱４が取り付けられた状態で、折り畳むことができる。即ち、組み立てた固液分離装置を折り畳んで収納することができ、分解して収納する必要はない。固液分離装置の再設置は、支持脚１を開いて設置面Ｌに立設するだけで完了する。
【００３７】
図示されていないが、支持脚１の各脚体１０、１１の底面にキャスターが取り付けられてもよい。これにより、固液分離装置の搬送が非常に容易になる。
【００３８】
以上、本発明の好ましい実施例について説明したが、本発明は上記の実施例に限定されるものではない。
【符号の説明】
【００３９】
１  支持脚
１０、１１  脚体
２  供給箱
２０  Ｕ字ボルト
２４  ガイド
３  分離ユニット
３０  フィルタ
３１  トレイ
３４  固体排出部
３５  液体排出部
４  排出箱
４０  Ｕ字ボルト
Ｌ  設置面
Ｘ  第１水平方向
Ｙ  第２水平方向
【図１】
2018138284.tif 000003
【図２】
2018138284.tif 000004
【図３】
2018138284.tif 000005
【図４】
2018138284.tif 000006
【図５】
2018138284.tif 000007
【図６】
2018138284.tif 000008
【図７】
2018138284.tif 000009
【図８】
2018138284.tif 000010